(57)【要約】【課題】音響空間にスピーカを１個取り付けただけでは低音が再生できないので、低音を再生するためにドローンコーンを取り付けることが望まれる。ところが、ドローンコーンはムービングコイルと磁石とからなる駆動部が付属していないだけで、その他の構造は防水スピーカと同一であるため価格が高く、そのため浴室テレビの価格が高騰する。【解決手段】左右の音響空間を主空間に対して気密に隔絶すると共に、両音響空間に前方に向かって開く開口を形成して両音響空間をバスレフ型のスピーカーボックスとし、かつ、上記主空間の背面に形成した配線用の開口を介して音声信号出力部に接続されたスピーカコードを引き出し、左右の音響空間の背面に形成した開口を通してスピーカコードを上記防水スピーカに接続した。【選択図】  図３
2014050076.tif 000002
【特許請求の範囲】
【請求項１】
浴室の壁面に固定される水密のケーシングの内部空間を、液晶表示部と音声信号出力部とを収納する主空間と、防水スピーカが取り付けられる音響空間とに分割した浴室テレビにおいて、上記音響空間を主空間に対して気密に隔絶すると共に、音響空間に前方に向かって開く開口を形成して音響空間をバスレフ型のスピーカーボックスとし、かつ、上記主空間の背面に形成した配線用の開口を介して音声信号出力部に接続されたスピーカコードを引き出し、音響空間の背面に形成した開口を通してスピーカコードを上記防水スピーカに接続したことを特徴とする浴室テレビ。
【発明の詳細な説明】
【技術分野】
【０００１】
本発明は、浴室の壁面に取り付けられる、液晶表示部を備えた浴室テレビに関する。
【背景技術】
【０００２】
従来より、入浴中にテレビ放送を鑑賞するため、浴室に設置するテレビ装置が多数提案されている。近年は画像を表示する液晶の画像表示部を備えた、いわゆる液晶式の浴室テレビが提案されている。液晶式の浴室テレビはテレビ本体の厚みを薄くできるので、浴室の壁面に窓穴などを施工することなく、浴室の壁面に直接取り付けることができる。
【０００３】
なお、液晶式の浴室テレビであっても電源からのコードや各種配線を接続する必要があるので、浴室テレビのケーシングの背面に開口を設け、その開口からこれらコードや配線を引き出しておき、浴室テレビを設置する壁面にこの開口に対向する配線用の穴を形成し、その穴を通して浴室外へとコードや配線を引き出している。
【０００４】
また、液晶表示部を挟んで左右に防水スピーカを取り付け、テレビ音声をステレオで再生できるようにしたものが知られている（例えば、特許文献１参照）。
【先行技術文献】
【特許文献】
【０００５】
【特許文献１】特開２００８−２１９４４７号公報（図２）
【発明の概要】
【発明が解決しようとする課題】
【０００６】
液晶式の浴室テレビではケーシング内に湯水が少量でも浸入するとケーシング内の湿度が上昇し、液晶表示部の前面を覆う透明板の内側に結露し曇る。すると、テレビ画面の視聴に不具合が生じるため、ケーシングは外から湯水が浸入しないように構成されている。
【０００７】
一方、上記のように液晶式の浴室テレビは厚みが薄いので小型の防水スピーカしか取り付けることができない。そのため、再生される音声の低音成分が不足し、重厚感のある音声を発音させることが難しい。そこで、液晶表示部や音声信号出力部をケーシングの中央の主空間に収納し、その主空間の左右に音響空間を設けて、音響空間をスピーカボックスとして機能させている。ところが、音声信号出力部と防水スピーカとはスピーカコードで接続する必要があり、そのスピーカコードを通すための穴を、主空間と音響空間とを連通するように設けなければならないので、音響空間も気密状態を保持しなければならない。そのため、音響空間にスピーカを１個取り付けただけでは低音成分が不足するので、低音成分を再生するために防水スピーカの他にドローンコーンを取り付けることが望まれる。
【０００８】
ところが、ドローンコーンはムービングコイルと磁石とからなる駆動部が付属していないだけで、その他の構造は防水スピーカと同一であるため価格が高く、そのため浴室テレビの価格が高騰するという問題点が生じる。
【０００９】
そこで本発明は、上記の問題点に鑑み、低コストで低音成分の再生が可能な液晶式の浴室テレビを提供することを課題とする。
【課題を解決するための手段】
【００１０】
上記課題を解決するために本発明による浴室テレビは、浴室の壁面に固定される水密のケーシングの内部空間を、液晶表示部と音声信号出力部とを収納する主空間と、防水スピーカが取り付けられる音響空間とに分割した浴室テレビにおいて、上記音響空間を主空間に対して気密に隔絶すると共に、音響空間に前方に向かって開く開口を形成して音響空間をバスレフ型のスピーカーボックスとし、かつ、上記主空間の背面に形成した配線用の開口を介して音声信号出力部に接続されたスピーカコードを引き出し、音響空間の背面に形成した開口を通してスピーカコードを上記防水スピーカに接続したことを特徴とする。
【００１１】
従来のようにドローンコーンを用いるのではなく、音響空間をバスレフ型のスピーカーボックスにすることによりコストを下げる。但し、バスレフ型にすると音響空間を外部に開放する開口を形成しなければならず、その開口から音響空間内に湯水が浸入すると、従来のものではスピーカコードを通すために形成されていた穴を通して水分が主空間内に浸入する。そこで、従来のこのような穴を設けずにスピーカコードをケーシングの外側を通して配線するようにした。
【発明の効果】
【００１２】
以上の説明から明らかなように、本発明は、主空間への湯水の浸入は従来と同様に遮断しつつ、低音成分の再生を増加させ、重厚感のある音でテレビを鑑賞することができる。
【図面の簡単な説明】
【００１３】
【図１】片側のスピーカカバーを取り外した浴室テレビの正面図
【図２】後ケースのリブの形状を示す図
【図３】背面でのスピーカコードの配線状態を示す図
【発明を実施するための形態】
【００１４】
図１を参照して、１は本発明による浴室テレビである。左右方向中央にはテレビ画像を表示する液晶表示部１２が配設されている。なお、この液晶表示部１２に直接湯水がかからないように、液晶表示部１２の前面は透明な板材で封止されている。
【００１５】
この液晶表示部１２を挟んで左右にはスピーカカバー１１が着脱自在に取り付けられている。なお、本図では向かって左側のスピーカカバーを取り外した状態を示している。スピーカカバー１１を取り外すと、ケーシングを構成する前ケース２が露出する。ケーシングはこの前ケース２と図２に示す後ケース４とが、前後方向に気密に合わさって形成されている。ケーシング内は後ケース４の左右１対のリブ４１によって３個の空間に区分されている。左右方向中央に位置する主空間内に上記液晶表示部１２が格納され、更に図示しない音声信号出力部もこの主空間内に格納されている。この主空間を挟んで左右に形成されるのが音響空間で有り、両音響空間内に各１個の防水スピーカ３を設置した。
【００１６】
主空間と両音響空間とは上記リブ４１によって気密に隔絶されており、少なくとも音響空間側から主空間へと湯水や水蒸気が浸入することはない。
【００１７】
前ケース２には防水スピーカ３の下方に位置して開口３１が形成されている。従って、音響空間はこの開口３１を介して外部と連通することになる。この開口３１は音響空間をバスレフ型のスピーカボックスとするためのもので、高音域から中音域の音声は防水スピーカ３から直接前方へと発音されるが、低音域の音声は音響空間内を通って共振等により増幅され、この開口３１から前方へと発音される。
【００１８】
図２を参照して、防水スピーカ３が取り付けられる位置４２の中央には穴４４を設け、後述するスピーカコードを通すようにした。また、主空間内に収納される各種装置に電力を供給し、またその他放送信号を搬送するコード類を通すための開口４３が形成されている。
【００１９】
図３を参照して、上述のように音声信号出力部は主空間に収納されているので、その音声信号出力部に接続されたスピーカコード５を開口４３から一旦外部に引き出し、その引き出した先端を穴４４を通して音響空間内に差し込み、その先端を防水スピーカ３に接続するようにした。このように構成したので、たとえ音響空間内に湯水が浸入してその水蒸気等が穴４４から浴室テレビ１の背面に漏出しても、浴室テレビ１を浴室の壁面に取り付ける際に浴室テレビ１と壁面との間に挟み込むパッキンによって、穴４４から漏出した水蒸気等は開口４３に到達することなく遮断される。
【００２０】
なお、本発明は上記した形態に限定されるものではなく、本発明の要旨を逸脱しない範囲内において種々の変更を加えてもかまわない。例えば、上記実施の形態では、音響空間を主空間の左右に設けてステレオ音声を再生できるようにしたが、音響空間を１個にしたモノラル音声を再生する浴室テレビにも本発明を適用することができる。
【符号の説明】
【００２１】
１  浴室テレビ
２  前ケース
３  防水スピーカ
４  後ケース
５  スピーカコード
１１  スピーカカバー
１２  液晶表示部
【図１】
2014050076.tif 000003
【図２】
2014050076.tif 000004
【図３】
2014050076.tif 000005